(57)【特許請求の範囲】
【請求項１】
エネルギシステムにおけるエネルギ処理状況に関するデータを表示するためのエネルギ表示装置であって、
表示対象データを表示するためのデータ表示領域と、前記表示対象データを選択するための操作部を表示するための操作部表示領域とを含むタッチパネルと、
前記タッチパネルにおける表示を制御する制御部とを備え、
前記操作部は、
エネルギ処理の内容に関する複数のデータ項目から前記表示対象データのデータ項目を選択するための操作を受付ける第１の操作手段と、
エネルギ処理の複数の期間長から前記表示対象データの期間長を選択するための操作を受付ける第２の操作手段と、
各々が前記第２の操作手段により選択された前記期間長を有する複数の期間から、前記表示対象データの期間を選択するための操作を受付ける第３の操作手段とを含み、
前記制御部は、前記第１の操作手段、前記第２の操作手段および前記第３の操作手段を前記操作部表示領域に表示するとともに、前記第１の操作手段により選択されたデータ項目および前記第３の操作手段により選択された期間を表す前記表示対象データを、前記データ表示領域にグラフ表示するように構成され、
前記第３の操作手段により選択された第１の期間を表す前記表示対象データがグラフ表示されている場合において、前記第２の操作手段により前記第１の期間が示す第１の期間長よりも長い第２の期間長が選択されたときには、前記制御部は、前記第１の期間を包含するように伸長された、前記第２の期間長を有する第２の期間を自動的に選択するように構成され、
前記制御部はさらに、前記第１の操作手段により選択されたデータ項目および自動的に選択された前記第２の期間を表す前記表示対象データを、前記データ表示領域にグラフ表示するように構成され、
前記制御部は、前記第１の操作手段により選択されたデータ項目および前記第２の期間を表す前記表示対象データを前記データ表示領域にグラフ表示するときには、前記第１の期間を表すデータの表示態様を、前記第１の期間以外の期間を表すデータの表示対象とは異ならせる、エネルギ表示装置。
【請求項２】
前記制御部は、前記第２の操作手段における、前記複数の期間長を、前記第１の操作手段により選択されたデータ項目に応じて変化させる、請求項１に記載のエネルギ表示装置。
【請求項３】
前記制御部は、前記複数のデータ項目にそれぞれ関連付けられた複数の第１のアイコンを並べて表示するとともに、選択された前記第１のアイコンと非選択の前記第１のアイコンとで表示態様を異ならせるように構成され、かつ、
前記複数の期間長にそれぞれ関連付けられた複数の第２のアイコンを並べて表示するとともに、選択された前記第２のアイコンと非選択の前記第２のアイコンとで表示態様を異ならせるように構成される、請求項１または２に記載のエネルギ表示装置。
【請求項４】
前記タッチパネルは、横長長方形状の表示画面を有しており、
前記操作部表示領域は、
前記第１の操作手段を表示するための第１の表示領域と、
前記第２の操作手段を表示するための第２の表示領域と、
前記第３の操作手段を表示するための第３の表示領域とを含み、
前記制御部は、前記第１の表示領域、前記第２の表示領域および前記第３の表示領域を
、前記表示画面の上辺、下辺および右辺のいずれかに沿ってそれぞれ配置する、請求項１〜３のいずれか１項に記載のエネルギ表示装置。
【請求項５】
前記制御部は、前記データ表示領域において、前記表示対象データを、前記第３の操作手段により選択された期間よりも短い期間のデータに細分化してグラフ表示するとともに、前記表示対象データを数値表示する、請求項１〜４のいずれか１項に記載のエネルギ表示装置。
【発明の詳細な説明】
【技術分野】
【０００１】
この発明は、エネルギ表示装置に関し、より特定的には、エネルギ処理状況に関するデータをグラフ表示するためのエネルギ表示装置に関する。
【背景技術】
【０００２】
エネルギシステムにおいて、所定期間におけるエネルギ処理状況に関するデータをリモコンに表示することが行なわれている。たとえば、特開２０１２−１７８７０１号公報（特許文献１）に記載されるエネルギシステムのリモコンでは、エネルギ処理状況に関するデータがリモコンの表示部に表示されるときには、その表示画面中に、選択対象となるエネルギ処理の内容に関する複数の項目が横方向に並んだ第１の選択メニューと、所定期間に関する複数の項目が縦方向に並んだ第２の選択メニューとが表示される。そして、操作手段の操作によってそれぞれ選択された第１の選択メニュー中の項目と第２の選択メニュー中の項目とに対応するデータが、表示部に表示される。
【先行技術文献】
【特許文献】
【０００３】
【特許文献１】特開２０１２−１７８７０１号公報
【発明の概要】
【発明が解決しようとする課題】
【０００４】
特許文献１に記載されるリモコンでは、第２の選択メニューに並べられた、所定期間に関する複数の項目は、その期間長が互いに等しい。したがって、第２の選択メニュー中の複数の項目を切替え選択することで、たとえば、今日および昨日の間、今月および先月の間、今年および昨年の間というように、同一の期間長を有する複数の期間の間で表示データを切替えることができる。
【０００５】
しかしながら、特許文献１において、期間長が異なる２つの期間の間で表示データを切替える場合、たとえば、日間におけるデータから月間におけるデータに表示を切替える場合には、ユーザは、まず、表示画面を、期間長に関する複数の項目（たとえば、日間／月間／年間）が並んだ第３の選択メニューが表示された別の画面に切替える操作を行ない、続いて、この別の画面上で第３の選択メニュー中の項目を選択する操作を行なう必要がある。このように、期間長が異なる２つの期間の間で表示データを切替える場面では、異なる画面上での操作が課されるため、十分にユーザの操作性を高めることができないという課題があった。
【０００６】
この発明はこのような問題点を解決するためになされたものであって、この発明の目的は、エネルギ処理状況に関するデータの表示におけるユーザの操作性を高めることである。
【課題を解決するための手段】
【０００７】
この発明のある局面では、エネルギシステムにおけるエネルギ処理状況に関するデータを表示するためのエネルギ表示装置は、タッチパネルと、タッチパネルにおける表示を制御する制御部とを備える。タッチパネルは、表示対象データを表示するためのデータ表示領域と、表示対象データを選択するための操作部を表示するための操作部表示領域とを含む。操作部は、第１の操作手段、第２の操作手段および第３の操作手段を含む。第１の操作手段は、エネルギ処理の内容に関する複数のデータ項目から表示対象データのデータ項目を選択するための操作を受付ける。第２の操作手段は、エネルギ処理の複数の期間長から表示対象データの期間長を選択するための操作を受付ける。第３の操作手段は、各々が第２の操作手段により選択された期間長を有する複数の期間から、表示対象データの期間を選択するための操作を受付ける。制御部は、第１の操作手段、第２の操作手段および第３の操作手段を操作部表示領域に表示するように構成される。制御部はさらに、第１の操作手段により選択されたデータ項目および第３の操作手段により選択された期間を表す表示対象データを、データ表示領域にグラフ表示するように構成される。
【０００８】
上記エネルギ表示装置によれば、タッチパネルの表示画面上に、表示対象データのデータ項目を選択するための第１の操作手段、表示対象データの期間長を選択するための第２の操作手段および、表示対象データの期間を選択するための第３の操作手段が表示され、かつ、第３の操作手段において選択し得る複数の期間が、第２の操作手段により選択された期間長に従って変化するように構成される。これにより、データ表示領域にグラフ表示されている表示対象データを、期間長が異なる別の期間の表示対象データに切替える場面において、ユーザは、表示対象データの期間長を選択する操作と、表示対象データの期間を選択する操作とを連続的に行なうことができる。この結果、データ表示の切替えにおけるユーザの操作性を向上させることができる。
【０００９】
なお、本発明において、「エネルギ処理状況」とは、エネルギの消費に関する事項だけはなく、たとえばエネルギを発生させたり、あるいは売買するといった状況も含む意である。また、「エネルギ処理状況に関するデータ」とは、上述したようなエネルギ処理状況を直接示すデータ（たとえば、エネルギ消費量や発電量など）に加え、たとえばエネルギ消費量を金額や二酸化炭素の発生量で示すなど、エネルギ処理状況を間接的に示すデータも含む意である。
【００１０】
好ましくは、制御部は、第２の操作手段における、複数の期間長を、第１の操作手段により選択されたデータ項目に応じて変化させる。
【００１１】
このようにすれば、ユーザは、表示させたい「エネルギ処理状況に関するデータ」の内容に応じて、当該データを考察するのに好適な期間長を選択することが可能となる。したがって、データ表示におけるユーザの利便性を高めることができる。
【００１２】
好ましくは、第３の操作手段により選択された第１の期間を表す表示対象データがグラフ表示されている場合において、第２の操作手段により第１の期間が示す第１の期間長よりも長い第２の期間長が選択されたときには、制御部は、第１の期間を包含するように伸長された、第２の期間長を有する第２の期間を自動的に選択するように構成される。制御部はさらに、第１の操作手段により選択されたデータ項目および自動的に選択された第２の期間を表す表示対象データを、データ表示領域にグラフ表示する。
【００１３】
このようにすると、表示対象データを、より長い期間長を有する別の期間の表示対象データに切替える場面において、ユーザの操作を簡易化することができるため、データ表示の切替えにおけるユーザの操作性を向上させることができる。
【００１４】
より好ましくは、制御部は、第１の操作手段により選択されたデータ項目および第２の期間を表す表示対象データをデータ表示領域にグラフ表示するときには、第１の期間を表すデータの表示態様を、第１の期間以外の期間を表すデータの表示対象とは異ならせる。
【００１５】
このようにすると、表示対象データを、より長い期間長を有する別の期間の表示対象データに切替えたときには、表示画面に表示されたグラフ内において、直前の期間を表わすデータをユーザに認識させることができる。これにより、データ表示の切替えにおけるユーザの利便性を高めることができる。
【００１６】
好ましくは、制御部は、複数のデータ項目にそれぞれ関連付けられた複数の第１のアイコンを並べて表示するとともに、選択された第１のアイコンと非選択の第１のアイコンとで表示態様を異ならせるように構成される。制御部はまた、複数の期間長にそれぞれ関連付けられた複数の第２のアイコンを並べて表示するとともに、選択された第２のアイコンと非選択の第２のアイコンとで表示態様を異ならせるように構成される。
【００１７】
このようにすると、表示対象データを選択するときに、ユーザはどの項目を選択しているかを容易に確認することができるため、ユーザの利便性を向上させることができる。
【００１８】
好ましくは、タッチパネルは、横長長方形状の表示画面を有する。操作部表示領域は、第１の操作手段を表示するための第１の表示領域と、第２の操作手段を表示するための第２の表示領域と、第３の操作手段を表示するための第３の表示領域とを含む。制御部は、第１の表示領域、第２の表示領域および第３の表示領域を、表示画面の上辺、下辺および右辺のいずれかに沿ってそれぞれ配置する。
【００１９】
このようにすると、利き手が右手であるユーザが、表示対象データＤ１を選択するために操作部表示領域をタッチするときに、データ表示領域がユーザの右手で覆われてしまうのを抑制できるため、ユーザの操作性の低下を防止することができる。
【００２０】
好ましくは、制御部は、データ表示領域において、表示対象データを、第３の操作手段により選択された期間よりも短い期間のデータに細分化してグラフ表示するとともに、表示対象データを数値表示する。このようにすると、ユーザは、表示画面上で、所定期間における表示対象データの時間的推移と、表示対象データの数値情報とを同時に取得することができる。
【発明の効果】
【００２１】
この発明によれば、エネルギ処理状況に関するデータの表示におけるユーザの操作性を高めることができる。
【図面の簡単な説明】
【００２２】
【図１】本発明の実施の形態に従うエネルギ表示装置が適用されるエネルギシステムの構成例を示すブロック図である。
【図２】本実施の形態に従うエネルギ表示装置におけるデータ表示の第１の画面例を示す図である。
【図３】本実施の形態に従うエネルギ表示装置におけるデータ表示の第２の画面例を示す図である。
【図４】本実施の形態に従うエネルギ表示装置におけるデータ表示の第３の画面例を示す図である。
【図５】本実施の形態に従うエネルギ表示装置におけるデータ表示のための制御処理を説明するフローチャートである。
【図６】本実施の形態の第１の変形例に従うエネルギ表示装置におけるデータ表示の画面例を示す図である。
【図７】本実施の形態の第１の変形例に従うエネルギ表示装置におけるデータ表示の画面例を示す図である。
【図８】本実施の形態に従うエネルギ表示装置におけるデータ表示のための制御処理を説明するフローチャートである。
【図９】図８のステップ１１Ａの処理をさらに説明するフローチャートである。
【図１０】図８のステップＳ１６Ａの処理をさらに説明するフローチャートである。
【図１１】本実施の形態の第２の変形例に従うエネルギ表示装置におけるデータ表示の画面例を示す図である。
【発明を実施するための形態】
【００２３】
以下に、本発明の実施の形態について図面を参照して詳細に説明する。なお以下では、図中の同一または相当部分には同一符号を付してその説明は原則的には繰返さないものとする。
【００２４】
図１は、本発明の実施の形態に従うエネルギ表示装置が適用されるエネルギシステムの構成例を示すブロック図である。
【００２５】
図１を参照して、エネルギシステム１００は、ユーザインタフェースのためのリモートコントール装置２００（以下、単に「リモコン２００」とも称する）へのユーザ入力に応じて制御される。以下の説明で明らかになるように、図１に例示されたエネルギシステム１００は、コージェネレーションシステムとして構成されている。
【００２６】
エネルギシステム１００は、発電ユニット２０と、ソーラ電池パネル２６とを発電要素として備える。ソーラ電池パネル２６による発電電力は、パワーコンディショナ２７によって、系統電源と同等の交流電力に変換された後、分電盤２８に送られる。発電ユニット２０は、作動時には、系統電源と同等の交流電力を分電盤２８へ送出する。たとえば、発電ユニット２０は、ガスを改質して水素を得る燃料電池および当該燃料電池による発電電力（直流電力）を上記交流電力に変換する電力変換器によって構成される。あるいは、発電ユニット２０は、ガスを燃料とするエンジン、当該エンジンの出力によって発電する発電機、および、発電機の出力電力を上記交流電力に変換する電力変換器によって構成することも可能である。
【００２７】
分電盤２８は、家屋内の各所に配置された電気負荷２５へ電力を分配する。電気負荷２５は、たとえば、冷蔵庫、空調機器、調理器具、照明器具等の電気機器類を含む。電気負荷２５による使用電力は、電力計２９ｄによって計測することができる。
【００２８】
発電ユニット２０およびパワーコンディショナ２７から分電盤２８へ出力された発電電力よりも、分電盤２８から電気負荷へ供給される使用電力が大きい場合には、不足分の電力が系統電源より買電される。反対に、発電電力が消費電力よりも大きい場合には、太陽光発電による発電電力のうち、余剰分の電力が系統電源へ売電される。売電電力および買電電力は、電力量計２９ａを用いて計測することができる。
【００２９】
なお、図示は省略しているが、発電ユニット２０およびパワーコンディショナ２７の各々には、出力制御のために実際の発電電力を検出するためのセンサ類が配置されている。すなわち、電力量計２９ａおよび電力計２９ｄの出力によらず、発電ユニット２０およびパワーコンディショナ２７の発電電力を検出することも可能である。
【００３０】
また、電力量計２９ａを用いて検知された売電電力または買電電力と、発電ユニット２０およびパワーコンディショナ２７からの情報によって検知された発電電力との差から、電気負荷２５による使用電力を求めることも可能である。この場合には、電力計２９ｄの配置を不要とすることが可能である。
【００３１】
エネルギシステム１００は、さらに、熱交換器を有する加熱装置２１と、貯湯タンク２２と、補助熱源機２３と、コントローラ２４とを備える。
【００３２】
加熱装置２１は、発電ユニット２０からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。
【００３３】
エネルギシステム１００への入水量は、水量計２９ｃによって計測される。また、発電ユニット２０および補助熱源機２３における燃料ガスの使用量は、ガス流量計２９ｂによって計測される。
【００３４】
エネルギシステム１００の各部の動作は、リモコン２００へのユーザ指示（運転オン／オフおよび温度設定、時刻設定等）に従ってエネルギシステム１００が動作するように、コントローラ２４によって制御される。コントローラ２４は、代表的には、マイクロコンピュータによって構成される。
【００３５】
また、電力量計２９ａ、ガス流量計２９ｂ、水量計２９ｃおよび、電力計２９ｄによる計測値は、コントローラ２４に送信される。さらに、コントローラ２４は、発電ユニット２０およびソーラ電池パネル２６のそれぞれによる発電電力を、発電ユニット２０およびパワーコンディショナ２７から受信するように構成されてもよい。
【００３６】
なお、補助熱源機２３をガス燃焼方式の熱源機とした場合、そのガス使用量をガス流量計２９ｂで計測させることは可能であるが、必ずしもこれに限定されず、たとえば湯水加熱に要した熱量や燃料ガスの発熱量に基づいて演算する手法を用いることも可能である。
【００３７】
このように、コントローラ２４は、電力量計２９ａ、ガス流量計２９ｂ、水量計２９ｃおよび、電力計２９ｄによる計測値に基づいて、上述の「エネルギ処理状況に関するデータ」を取得することができる。
【００３８】
リモコン２００は、たとえば台所や浴室の壁面に固定されて使用される壁掛け方式のものであり、樹脂製の筐体（図示せず）に格納されて構成される。すなわち、リモコン２００は複数個配置されてもよい。
【００３９】
リモコン２００は、制御部２１０と、スピーカ２１３と、マイク２１４と、通信部２２０と、操作部２３０と、表示部３００とを含む。
【００４０】
制御部２１０は、代表的にはマイクロコンピュータによって構成されて、リモコン２００の各部の動作制御やデータ処理を実行する。通信部２２０は、エネルギシステム１００のコントローラ２４との間でデータ通信を実行するように構成される。
【００４１】
表示部３００は、ユーザが視認できる態様で情報やデータを表示するために、液晶パネルあるいは有機ＥＬパネルなどを用いて構成される。後述するように、表示部３００は、所定部位におけるユーザの押圧動作を認識可能に構成できるタッチパネルによって構成される。表示部３００における表示内容は、制御部２１０によって制御される。
【００４２】
操作部２３０は、ユーザ指示を入力するための操作スイッチ（図示せず）を含んで構成される。操作部２３０は、上記タッチパネル上に操作ボタンの態様で表示された所定領域（以下、「操作部表示領域」とも称する）を含む。
【００４３】
スピーカ２１３は、制御部２１０から指令された音声データや音楽データを出力する。これにより、ユーザが聴認される情報を出力できる。また、マイク２１４およびスピーカ２１３を用いて、複数のリモコン２００間でユーザ同士の会話が可能となる。
【００４４】
なお、エネルギシステム１００のコントローラ２４および／またはリモコン２００の制御部２１０には、現在日時などを検知するためのカレンダ・クロック（図示せず）がさらに設けられる。
【００４５】
制御部２１０は、表示部３００を利用したデータ表示を制御することができる。これにより、タッチパネルを含む操作部２３０のスイッチ操作などに基づいて、所定期間におけるエネルギ消費量や発電量などの「エネルギ処理状況に関するデータ」を表示部３００に表示することができる。すなわち、本実施の形態では、リモコン２００によって「エネルギ表示装置」が構成される。
【００４６】
特に、本実施の形態に従うエネルギ表示装置では、エネルギ処理の内容を示すデータ項目、およびエネルギ処理の期間の少なくとも一方が互いに異なる、複数の「エネルギ処理状況に関するデータ」の中から、ユーザによって、表示対象となる「エネルギ処理状況に関するデータ」が選択される。以下では、表示対象となる「エネルギ処理状況に関するデータ」を、単に、「表示対象データ」とも称する。すなわち、エネルギ表示装置は、ユーザによって選択された表示対象データの表示を行なうものである。
【００４７】
制御部２１０は、上記データ表示に必要となる、電力などのエネルギの量を料金に換算するためのデータや、過去のエネルギ消費量のデータなどの種々のデータを記憶している。これらのデータは、コントローラ２４から通信によって取得することができる。あるいは、制御部２１０は、コントローラ２４を介さずに、電力量計２９ａ、ガス流量計２９ｂ、水量計２９ｃおよび電力計２９ｄとの直接の通信によって、これらのデータを取得することも可能である。
【００４８】
また、これらのデータはエネルギシステム１００のコントローラ２４に記憶されてもよい。この場合には、データ表示のための制御部２１０からの要求に応じて、コントローラ２４から制御部２１０へ通信部２２０を経由しでデータが送信される。
【００４９】
次に、本実施の形態に従うエネルギ表示装置におけるデータ表示について、表示部３００に表示される画面の具体例を挙げて説明する。
【００５０】
図２は、本実施の形態に従うエネルギ表示装置におけるデータ表示の第１の画面例を示す図である。
【００５１】
図２に示される横長長方形状の表示画面３１０は、表示部３００に示される。表示画面３１０は、タッチパネルにより構成されており、表示対象データＤ１のグラフ表示と、表示対象データＤ１を選択するためのユーザ指示を受付ける操作部２３０とを並べて表示することができる。
【００５２】
なお、本実施の形態において、「表示対象データＤ１」とは、ユーザによって選択された「エネルギ処理状況に関するデータ」についての、ユーザによって設定された所定期間における積算値を表すデータである。また、「表示対象データＤ１のグラフ表示」とは、表示対象データＤ１であるデータ積算値を、上記所定期間よりも短い期間に細分化した内訳データをグラフ表示することである。一方、「表示対象データＤ１の数値表示」とは、上記所定期間におけるデータ積算値を数値表示することである。
【００５３】
図２では、エネルギシステム１００での「今日の使用電力量」が表示対象データＤ１に選択されている場合の画面例を説明する。本実施の形態では、「エネルギ処理状況に関するデータ」として、上記使用電力量の他、系統電源からの買電電力量（買電量）、系統電源に対する売電電力量（売電量）、燃料ガスの使用量、エネルギシステム１００への入水量（入水量）、一次エネルギ（化石燃料、原子力燃料、水力・太陽光など自然から得られるエネルギ）の消費量を選択可能である。
【００５４】
図２を参照して、表示画面３１０には、４つの表示領域３０１〜３０４が設けられる。表示領域３０１は、表示対象データＤ１を表示するための表示領域（以下、「データ表示領域」とも称する）である。表示領域３０２〜３０４は、表示対象データＤ１を選択するための操作部２３０を表示するための表示領域（操作部表示領域）である。データ表示領域３０１および操作部表示領域３０２〜３０４における表示内容は、制御部２１０によって制御される。
【００５５】
データ表示領域３０１には、表示対象データＤ１がグラフ表示される。たとえば、今日が２０１５年１２月２４日であるときには、データ表示領域３０１には、２０１５年１２月２４日の使用電力量が、グラフ表示される。たとえば、１２月２４日における使用電力量（たとえば、１２３．４５ｋＷｈ）を１時間毎にさらに細分化した内訳データを示すグラフＧ１によって、棒グラフの態様で表示対象データＤ１が表示される。さらに、データ表示領域３０１には、グラフＧ１とともに、使用電力量（１２３．４５ｋＷｈ）が数値表示されてもよい。
【００５６】
操作部表示領域３０２〜３０４は、表示画面３１０の上辺、下辺および右辺のいずれかに沿ってそれぞれ配置される。言い換えれば、操作部表示領域３０２〜３０４は、表示画面３１０の左辺を除いた残りの三辺に沿ってそれぞれ配置される。
【００５７】
利き手が右手であるユーザは、一般的に、表示画面３１０上の操作部を右手でタッチする。したがって、表示画面３１０の左辺に沿って操作部表示領域を配置すると、ユーザが表示対象データＤ１を選択するために当該領域をタッチするときに、データ表示領域３０１がユーザの右手で覆われてしまう。その結果、グラフ表示が見づらくなり、ユーザの操作性が低下する。図２に示されるように、表示画面３１０の左辺以外の辺に沿って操作部表示領域を配置することで、上述したようなユーザの操作性の低下を防ぐことができる。
【００５８】
操作部表示領域３０２（第１の表示領域）は、データ表示領域３０１の下側に配置される。たとえば、操作部表示領域３０２は横長長方形状を有しており、表示画面３１０の下辺に沿って配置されている。操作部表示領域３０２には、横方向に配列された複数のアイコンＩＣ１〜ＩＣ６と、アイコンＩＣ１〜ＩＣ６を挟んで両端にそれぞれ配置された２個の操作ボタン１１，１２とが表示される。
【００５９】
アイコンＩＣ１〜ＩＣ６は、エネルギ処理の内容に関連付けられた画像情報によって構成される。たとえば、アイコンＩＣ１〜ＩＣ６は、「使用電力量」、「買電量」、「売電量」、「燃料ガスの使用量」、「入水量」、および「一次エネルギの消費量」にそれぞれ関連付けられた画像情報によって構成される。なお、図２の例では、画像情報のみによって各アイコンが構成されるが、各アイコンは、画像情報および文字情報の組合せ、あるいは、文字情報のみによって構成されてもよい。複数のアイコンＩＣ１〜ＩＣ６は、複数のデータ項目にそれぞれ関連付けられた複数の「第１のアイコン」の一実施例を構成する。
【００６０】
ユーザは、表示画面３１０上で操作ボタン１１，１２にタッチすることによって、アイコンＩＣ１〜ＩＣ６を選択的にアクティブ化（活性化）することができる。たとえば、アイコンＩＣ３がアクティブ状態である場合において、ユーザが操作ボタン１１を１回タッチすると、アイコンＩＣ３が非アクティブ化（非活性化）され、アイコンＩＣ３の左隣りに位置するアイコンＩＣ２がアクティブ化される。これに対して、ユーザが操作ボタン１２を１回タッチすると、アイコンＩＣ３が非アクティブ化され、アイコンＩＣ３の右隣りに位置するアイコンＩＣ４がアクティブ化される。
【００６１】
上述のように、ユーザは、操作ボタン１１，１２を操作してアイコンＩＣ１〜ＩＣ６を選択的にアクティブ化することによって、表示対象データＤ１のデータ項目を選択することができる。すなわち、操作部表示領域３０２は、表示対象データＤ１のデータ項目を選択するための操作を受付ける「第１の操作手段」を表示する。以下では、第１の操作手段を、「データ項目選択スイッチＳＷ１」とも称する。
【００６２】
図２の例では、ユーザがアイコンＩＣ１をアクティブ化することによって、エネルギシステム１００での「使用電力量」が、表示対象データＤ１に選択されている。図２に示されるように、操作部表示領域３０２では、アクティブ状態のアイコンＩＣ１と、非アクティブ状態のアイコンＩＣ２〜ＩＣ６とで表示態様を異ならせることができる。たとえば、アイコンＩＣ１の表示色をアイコンＩＣ２〜ＩＣ６の表示色と異ならせることで、アイコンＩＣ１を強調表示できる。なお、強調表示には、アイコンの表示色の変更の他に、表示輝度の変更や点灯表示などが適用可能である。
【００６３】
さらに、図２に示すように、データ表示領域３０１の上側に、グラフ表示のタイトルを示すタイトル表示Ｔ１として、表示対象データＤ１のデータ項目（たとえば、「使用電力量」）を表示してもよい。
【００６４】
操作部表示領域３０３（第２の表示領域）は、データ表示領域３０１の右側に配置される。たとえば、操作部表示領域３０３は、縦長長方形状を有しており、表示画面３１０の右辺に沿って配置されている。操作部表示領域３０３には、縦方向に配列された複数のタブ１３，１４，１５が表示される。複数のタブ１３，１４，１５は、複数の期間長にそれぞれ関連付けられた複数の「第２のアイコン」の一実施例を構成する。
【００６５】
ユーザは、表示画面３１０上で複数のタブ１３，１４，１５に選択的にタッチすることによって、表示対象データＤ１の期間長を選択することができる。すなわち、操作部表示領域３０３は、表示対象データＤ１の期間長を選択するための操作を受付ける「第２の操作手段」を表示する。以下では、第２の操作手段を、「期間長選択スイッチＳＷ２」とも称する。
【００６６】
図２の例では、タブ１３を選択することによって、表示対象データＤ１の期間長が「日」に選択されている。この場合において、表示対象データＤ１の期間のデフォルト値は「今日」に設定される。この結果、データ表示領域３０１には、表示対象データＤ１に相当する、「本日（２０１５年１２月２４日）の使用電力量」が表示される。
【００６７】
操作部表示領域３０３では、選択状態のタブ１３と、非選択状態のタブ１４，１５とで表示態様を異ならせることができる。たとえば、タブ１３の表示色をタブ１４，１５の表示色と異ならせることによって、タブ１３を強調表示できる。強調表示には、タブの表示色の変更の他に、表示輝度の変更や点灯表示などが適用可能である。
【００６８】
操作部表示領域３０４（第３の表示領域）は、データ表示領域３０１の上側に配置される。たとえば、操作部表示領域３０４は、縦長長方形状を有しており、表示画面３１０の上辺に沿って配置されている。操作部表示領域３０４には、横方向に配列された２個の操作ボタン１６，１７が表示される。さらに、操作ボタン１６と操作ボタン１７との中間には、表示対象データＤ１の期間を示す文字情報Ｔ２が表示される。図２の例では、期間長が「日」であるときの期間のデフォルト値に相当する、「今日（１２月２４日）」の日付を示す文字情報Ｔ２が表示されている。
【００６９】
ユーザは、表示画面３１０上で操作ボタン１６，１７を選択的にタッチすることによって、表示対象データＤ１の期間を選択することができる。次に、タブ１３が選択されて、表示対象データＤ１の期間長に「日」が選択されたときの表示対象データＤ１の期間の選択について図３を用いて説明する。
【００７０】
図３は、本実施の形態に従うエネルギ表示装置におけるデータ表示の第２の画面例を示す図である。図３（ａ）には、図２の状態の表示画面３１０において操作ボタン１６が１回操作されたきの表示画面３１０が示される。図３（ｂ）には、図３（ａ）の状態の表示画面３１０において操作ボタン１７が１回操作されたときの表示画面３１０が示される。
【００７１】
図３（ａ）を参照して、図２の状態からユーザが操作ボタン１６を１回操作すると、表示対象データＤ１の期間が１日分繰り下げられて、「昨日（１２月２３日）」となる。これにより、「昨日（１２月２３日）の使用電力量」が、表示対象データＤ１としてデータ表示領域３０１に表示される。たとえば、１２月２３日における使用電力量（たとえば、１３２．４５ｋＷｈ）をさらに細分化したグラフＧ２によって、表示対象データＤ１が表示される。データ表示領域３０１には、グラフＧ２とともに、昨日の使用電力量（１３２．４５ｋＷｈ）が数値表示されてもよい。図３（ａ）の状態で、操作部表示領域３０４には、昨日（１２月２３日）の日付を示す文字情報Ｔ２が表示される。
【００７２】
図３（ｂ）では、図３（ａ）の状態（操作ボタン１６を１回操作した後）で、操作ボタン１７を１回操作すると、表示対象データＤ１の期間が１日分戻されて、「今日（１２月２４日）」となる。これにより、図２の表示画面３１０に復帰し、「本日（１２月２４日）の使用電力量」が、表示対象データＤ１としてデータ表示領域３０１に表示される。
【００７３】
このように、期間長選択スイッチＳＷ２において表示対象データＤ１の期間長が「日」に選択されている場合、表示対象データＤ１の期間のデフォルト値は「今日」に設定される。そして、この場合において、操作ボタン１６が１回操作されると、表示対象データＤ１の期間が１日分繰り下がる。これに対して、操作ボタン１７が１回操作されると、操作ボタン１６によって繰り下げられた期間が１日分戻される。
【００７４】
これによれば、たとえば、表示対象データＤ１の期間長が「日」に選択されている場合には、操作ボタン１６への操作によって、表示対象データＤ１の期間を前週の同一曜日（同曜）に設定することもできるため、ユーザは、本日と、前週の同曜日との間で、エネルギ処理状況に関するデータを容易に比較することが可能となる。
【００７５】
すなわち、操作部表示領域３０４は、各々が期間長選択スイッチＳＷ２によって選択された期間長を有する複数の期間から、表示対象データＤ１の期間を選択するための操作を受付ける「第３の操作手段」を構成する。以下では、第３の操作手段を、「期間選択スイッチＳＷ３」とも称する。
【００７６】
このように、本実施の形態に従うエネルギ表示装置によれば、ユーザは、期間選択スイッチＳＷ３を操作することによって、期間長選択スイッチＳＷ２によって選択された期間長に従って、表示対象データＤ１の期間を切替えることができる。
【００７７】
次に、図４を用いて、本実施の形態に従うエネルギ表示装置における期間長選択スイッチＳＷ２と期間選択スイッチＳＷ３との関係性についてさらに説明する。図４は、本実施の形態に従うエネルギ表示装置におけるデータ表示の第３の画面例を示す図である。
【００７８】
図４（ａ）〜（ｃ）に示される表示画面３１０は、表示部３００に表示される。図４（ａ）には、図２の状態の表示画面３１０と同じものが示されている。すなわち、図４（ａ）では、ユーザが、データ項目選択スイッチＳＷ１においてアイコンＩＣ１をアクティブ化し、かつ、期間長選択スイッチＳＷ２においてタブ１３を選択することによって、「本日（２０１５年１２月２４日）の使用電力量」が、表示対象データＤ１に選択されている。この結果、データ表示領域３０１には、本日の使用電力量（たとえば、１２３．４５ｋＷｈ）が、グラフＧ１によって表示されるとともに数値表示されている。また、操作部表示領域３０４には、表示対象データＤ１の期間を示す文字情報Ｔ２に相当する、本日（１２月２４日）の日付が表示されている。
【００７９】
図３で示したように、図４（ａ）の状態で、ユーザが期間選択スイッチＳＷ３の操作ボタン１６を１回操作する毎に、表示対象データＤ１の期間は１日分ずつ繰り下がる。一方、ユーザが操作ボタン１７を１回操作する毎に、操作ボタン１６によって繰り下げられた期間が１日分ずつ戻される。
【００８０】
次に、図４（ｂ）の例では、ユーザが期間長選択スイッチＳＷ２においてタブ１４を選択することによって、表示対象データＤ１の期間長が「月」に選択されている。この場合において、表示対象データＤ１の期間のデフォルト値は「今月」に設定される。この結果、図４（ｂ）では、表示対象データＤ１に相当する、「今月（１２月）の使用電力量」が、データ表示領域３０１に表示される。たとえば、１２月における使用電力量（たとえば、１，２３４．５ｋＷｈ）を１日毎にさらに細分化した内訳データを示すグラフＧ３によって、棒グラフの態様で表示対象データＤ１が表示される。
【００８１】
さらに、グラフＧ３とともに、１２月における使用電力量（１，２３４．５ｋＷｈ）が数値表示されてもよい。また、１２月における使用電力量と並んで、１２月における使用電力量の目標値（たとえば、１，２３０．５ｋＷｈ）が数値表示されてもよい。
【００８２】
図４（ｂ）の状態で、操作部表示領域３０４には、期間長が「月」であるときの期間のデフォルト値に相当する、今月（１２月）の日付を示す文字情報Ｔ２が表示されている。この状態において、期間選択スイッチＳＷ３の操作ボタン１６が１回操作されると、表示対象データＤ１の期間が「先月（１１月）」に１か月分だけ繰り下がる。これにより、先月（１１月）の使用電力量が、データ表示領域３０１に表示される。
【００８３】
また、この状態（操作ボタン１６を１回操作した後）から、操作ボタン１７が１回操作されると、表示対象データＤ１の期間が、「今月（１２月）」に１月分戻される。これにより、図４（ｂ）の表示画面３１０に復帰する。
【００８４】
これによれば、たとえば、表示対象データＤ１の期間長が「月」に選択されている場合には、操作ボタン１６への操作によって、表示対象データＤ１の期間を昨年の同一月（同月）に設定することもできるため、ユーザは、今月と昨年の同月との間で、エネルギ処理状況に関するデータを容易に比較することができる。
【００８５】
さらに、図４（ｃ）の例では、ユーザが期間長選択スイッチＳＷ２においてタブ１５を選択することによって、表示対象データＤ１の期間長が「年」に選択されている。この場合において、表示対象データＤ１の期間のデフォルト値が「今年」に設定される。この結果、図４（ｃ）では、表示対象データＤ１に相当する、「今年（２０１５年）の使用電力量」が、データ表示領域３０１に表示される。たとえば、２０１５年における使用電力量（たとえば、１２３，４５６ｋＷｈ）を１か月毎にさらに細分化した内訳データを示すグラフＧ４によって、棒グラフの態様で表示対象データＤ１が表示される。さらに、グラフＧ４とともに、今年の使用電力量（１２３，４５６ｋＷｈ）および今年の使用電力量の目標値（図示せず）が数値表示されてもよい。
【００８６】
図４（ｃ）の状態で、操作部表示領域３０４には、期間長が「年」であるときの期間のデフォルト値に相当する、今年（２０１５年）の日付を示す文字情報Ｔ２が表示されている。この状態において、期間選択スイッチＳＷ３の操作ボタン１６が１回操作されると、表示対象データＤ１の期間が「昨年（２０１４年）」に１年分だけ繰り下がる。これにより、昨年（２０１４年）の使用電力量が、データ表示領域３０１に表示される。
【００８７】
また、この状態（操作ボタン１６を１回操作した後）から、操作ボタン１７が１回操作されると、表示対象データＤ１の期間が、「今年（２０１５年）」に１年分戻される。これにより、図４（ｃ）の表示画面３１０に復帰する。
【００８８】
図４（ａ）〜（ｃ）を通じて、期間選択スイッチＳＷ３において選択することができる複数の期間は、期間長選択スイッチＳＷ２によって選択された期間長に従って変化する。これにより、ユーザが期間選択スイッチＳＷ３の操作ボタン１６を操作する毎に、表示対象データＤ１の期間は、期間長選択スイッチＳＷ２（タブ１３〜１５）によって選択された期間長に従って、１つずつ繰り下がる。これに対して、ユーザが操作ボタン１７を操作する毎に、操作ボタン１６によって繰り下げられた期間が、当該期間長に従って１つずつ戻される。そして、操作ボタン１６，１７を操作する毎に、表示対象データＤ１の期間を示す文字情報Ｔ２の表示が切替えられる。
【００８９】
したがって、ユーザは、表示画面３１０上で期間長選択スイッチＳＷ２を用いて表示対象データＤ１の期間長を選択すると、操作部表示領域３０４に表示されている文字情報Ｔ２を参照しながら期間選択スイッチＳＷ３を操作することによって、表示対象データＤ１の期間を選択することができる。
【００９０】
これによれば、データ表示領域３０１に表示されている表示対象データＤ１（たとえば、本日の使用電力量）を、期間長が異なる別の期間の表示対象データＤ１（たとえば、先月の使用電力量）に切替える場面において、ユーザは、表示対象データＤ１の期間長を選択する操作と、表示対象データＤ１の期間を選択する操作とを、別の画面へ切替える操作を挟むことなく、連続的に行なうことができる。この結果、データ表示の切替えにおけるユーザの操作性を向上させることができる。
【００９１】
図５は、本実施の形態に従うエネルギ表示装置におけるデータ表示のための制御処理を説明するフローチャートである。図５に示すフローチャートは、たとえばリモコン２００の制御部２１０により実行される。
【００９２】
図５を参照して、制御部２１０は、ステップＳ０１により、表示画面３１０の操作部表示領域３０２へのユーザ入力に基づいて、データ項目選択スイッチＳＷ１が操作されたか否かを判定する。
【００９３】
データ項目選択スイッチＳＷ１が操作されている場合（Ｓ０１のＹＥＳ判定時）、操作ボタン１１，１２へのユーザ操作に従って、アイコンＩＣ１〜ＩＣ６のいずれか１つが選択的にアクティブ化される。このとき、制御部２１０は、アクティブ状態のアイコンと、非アクティブ状態のアイコンとで表示態様を異ならせる。
【００９４】
制御部２１０は、ステップＳ０２により、アクティブ化されたアイコンに基づいて表示対象データＤ１のデータ項目を設定する。次に、制御部２１０は、ステップＳ０３により、操作部表示領域３０３へのユーザ入力に基づいて、期間長選択スイッチＳＷ２が操作されたか否かを判定する。
【００９５】
期間長選択スイッチＳＷ２のタブ１３が選択された場合（Ｓ０３の１３）、制御部２１０は、処理をステップＳ０４に進めて、表示対象データＤ１の期間長を「日」に設定する。そして、制御部２１０は、ステップＳ０５により、表示対象データＤ１の期間を、デフォルト値である「今日」に設定する。
【００９６】
制御部２１０は、ステップＳ０６により、ステップＳ０２，Ｓ０５にてそれぞれ設定したデータ項目および期間（今日）を表す表示対象データＤ１を、データ表示領域３０１に表示する。制御部２１０は、たとえば、表示対象データＤ１を１時間毎に細分化したグラフによって、表示対象データＤ１を表示する。制御部２１０はさらに、表示対象データＤ１および目標値等を数値表示する。
【００９７】
制御部２１０は、ステップＳ０７により、表示画面３１０の操作部表示領域３０４へのユーザ入力に基づいて、期間選択スイッチＳＷ３が操作されたか否かを判定する。期間選択スイッチＳＷ３が操作されている場合（Ｓ０７のＹＥＳ判定時）、制御部２１０は、操作ボタン１６，１７が操作される毎に、１日分ずつ繰り下げまたは戻すことにより、表示対象データＤ１の期間を切替える（ステップＳ０８）。制御部２１０は、ステップＳ０９により、切替え後の期間を表す表示対象データＤ１をデータ表示領域３０１に表示する。
【００９８】
ステップＳ０３に戻って、期間長選択スイッチＳＷ２のタブ１４が選択されている場合（Ｓ０３の１４）、制御部２１０は、処理をステップＳ１０に進めて、表示対象データＤ１の期間長を「月」に設定する。そして、制御部２１０は、ステップＳ１１により、表示対象データＤ１の期間を、デフォルト値である「今月」に設定する。
【００９９】
制御部２１０は、ステップＳ１２により、ステップＳ０２，Ｓ１１にてそれぞれ設定したデータ項目および期間（今月）を表す表示対象データＤ１を、データ表示領域３０１に表示する。制御部２１０は、たとえば、表示対象データＤ１を日間（１日〜末日）に細分化したグラフによって、表示対象データＤ１を表示する。制御部２１０はさらに、表示対象データＤ１および目標値等を数値表示する。
【０１００】
制御部２１０は、ステップＳ１３により、表示画面３１０の操作部表示領域３０４へのユーザ入力に基づいて、期間選択スイッチＳＷ３が操作されたか否かを判定する。
【０１０１】
期間選択スイッチＳＷ３が操作されている場合（Ｓ１３のＹＥＳ判定時）、制御部２１０は、操作ボタン１６，１７が操作される毎に、１か月分ずつ繰り下げまたは戻すことにより、表示対象データＤ１の期間を切替える（ステップＳ１４）。制御部２１０は、ステップＳ０９により、切替え後の期間を表す表示対象データＤ１をデータ表示領域３０１に表示する。
【０１０２】
ステップＳ０３に戻って、期間長選択スイッチＳＷ２のタブ１５が選択されている場合（Ｓ０３の１５）、制御部２１０は、処理をステップＳ１５に進めて、表示対象データＤ１の期間長を「年」に設定する。そして、制御部２１０は、ステップＳ１６により、表示対象データＤ１の期間を、デフォルト値である「今年」に設定する。
【０１０３】
制御部２１０は、ステップＳ１７により、ステップＳ０２，Ｓ１６にてそれぞれ設定したデータ項目および期間（今年）を表す表示対象データＤ１を、データ表示領域３０１に表示する。制御部２１０は、たとえば、表示対象データＤ１を月間（１月〜１２月）に細分化したグラフによって、表示対象データＤ１を表示する。制御部２１０はさらに、表示対象データＤ１および目標値等を数値表示する。
【０１０４】
制御部２１０は、ステップＳ１８により、表示画面３１０の操作部表示領域３０４へのユーザ入力に基づいて、期間選択スイッチＳＷ３が操作されたか否かを判定する。
【０１０５】
期間選択スイッチＳＷ３が操作されている場合（Ｓ１８のＹＥＳ判定時）、制御部２１０は、操作ボタン１６，１７が操作される毎に、１年分ずつ繰り下げまたは戻すことにより、表示対象データＤ１の期間を切替える（ステップＳ１９）。制御部２１０は、ステップＳ０９により、切替え後の期間を表す表示対象データＤ１をデータ表示領域３０１に表示する。
【０１０６】
以上説明したように、本実施の形態に従うエネルギ表示装置によれば、表示対象データを、期間長が異なる別の期間の表示対象データに切替える場面において、ユーザの操作を簡易化することができる。この結果、データ表示の切替えにおけるユーザの操作性を向上させることができる。
【０１０７】
［変形例１］
次に、本実施の形態の第１の変形例として、データ項目選択スイッチＳＷ１が操作されたときのデータ表示の態様を図６および図７を用いて説明する。
【０１０８】
図６および図７は、本実施の形態の第１の変形例に従うエネルギ表示装置におけるデータ表示の画面例を示す図である。
【０１０９】
図６（ａ），（ｂ）に示される表示画面３１０は、表示部３００に表示される。図６（ａ）には、図２の状態の表示画面３１０と同じものが示される。すなわち、図６（ａ）においては、ユーザがデータ項目選択スイッチＳＷ１においてアイコンＩＣ１をアクティブ化し、かつ、期間長選択スイッチＳＷ２においてタブＳ２１を選択することによって、「本日（たとえば、１２月２４日）における使用電力量」が、表示対象データＤ１に選択されている。表示画面３１０のデータ表示領域３０１には、本日の使用電力量（たとえば、１２３．４５ｋＷｈ）がグラフＧ１とともに、数値表示されている。また、操作部表示領域３０４には、表示対象データＤ１の期間を示す文字情報Ｔ２に相当する、本日（１２月２４日）の日付が表示されている。
【０１１０】
次に、図６（ｂ）の例では、ユーザがデータ項目選択スイッチＳＷ１においてアイコンＩＣ２をアクティブ化することによって、表示対象データＤ１のデータ項目が「買電量」に選択されている。この結果、図６（ｂ）では、表示対象データＤ１に相当する、「本日（１２月２４日）の買電量」が、データ表示領域３０１に表示される。たとえば、本日（１２月２４日）における買電量（たとえば、７３．４５ｋＷｈ）を１時間毎にさらに細分化したグラフＧ５によって、棒グラフの態様で表示対象データＤ１が表示される。
【０１１１】
さらに、グラフＧ５とともに、１２月における買電量（７３．４５ｋＷｈ）が数値表示されてもよい。また、１２月における買電量と並んで、当該買電量を料金に換算した値（たとえば、１２，３４５円）等が数値表示されてもよい。
【０１１２】
図６（ｂ）の状態から、操作ボタン１２が１回操作されると、表示画面３１０は、図７（ａ）に切替えられる。図７（ａ）の例では、アイコンＩＣ３がアクティブ化されることによって、表示対象データＤ１のデータ項目が「売電量」に選択されている。この結果、図７（ａ）では、表示対象データＤ１に相当する、「本日（１２月２４日）の売電量」が、データ表示領域３０１に表示される。たとえば、本日（１２月２４日）における売電量（たとえば、３０．２５ｋＷｈ）をさらに細分化したグラフＧ６によって、棒グラフの態様で表示対象データＤ１が表示される。
【０１１３】
さらに、グラフＧ６とともに、本日（１２月２４日）における売電量（３０．２５ｋＷｈ）が数値表示されてもよい。また、１２月における売電量と並んで、当該売電量を料金に換算した値（たとえば、２，３４５円）等が数値表示されてもよい。
【０１１４】
ここで、図７（ａ）では、操作部表示領域３０３には、期間長選択スイッチＳＷ２として、縦方向に配列された複数のタブ１３，１４，１５，１８が表示される。図６（ａ），（ｂ）と比較して、タブ１８が追加されている。この状態で、ユーザがタブＳ２４を選択することにより、表示対象データＤ１の期間長が「週」に選択される。
【０１１５】
図７（ｂ）には、図７（ａ）の状態の表示画面３１０においてタブ１８が選択されたときの表示画面３１０が示される。この場合において、表示対象データＤ１の期間のデフォルト値が「今週（たとえば、１２月２０日〜２６日）」に設定される。したがって、表示対象データＤ１に相当する、「今週（１２月２０日〜２６日）の売電量」が、データ表示領域３０１に表示される。たとえば、今週の売電量（たとえば、１１５．２５ｋＷｈ）を１曜日毎にさらに細分化したグラフＧ７によって、棒グラフの態様で表示対象データＤ１が表示される。
【０１１６】
さらに、グラフＧ７とともに、今週の売電量（１１５．２５ｋＷｈ）が数値表示されてもよい。また、今週の売電量と並んで、当該買電量を料金に換算した値（たとえば、１０，３４５円）等が数値表示されてもよい。
【０１１７】
図７（ｂ）の例では、操作部表示領域３０４には、期間長が「週」であるときの期間のデフォルト値に相当する、今週（１２月２０日〜２６日）の日付を示す文字情報Ｔ２が表示されている。この状態において、期間選択スイッチＳＷ３の操作ボタン１６が１回操作されると、表示対象データＤ１の期間が「前週（１２月１３日〜１９日）」に１週間分だけ繰り下がる。これにより、前週（１２月１３日〜１９日）の使用電力量が、データ表示領域３０１に表示される。
【０１１８】
また、この状態（操作ボタン１６を１回操作した後）から、操作ボタン１７が１回操作されると、表示対象データＤ１の期間が、「今週（１２月２０日〜２６日）」に１週間分戻される。これにより、図７（ｂ）の表示画面３１０に復帰する。
【０１１９】
すなわち、表示対象データＤ１の期間長が「週」に選択されている場合には、ユーザは、操作ボタン１６，１７への操作によって、表示対象データＤ１の期間を週単位で選択することができる。これにより、各週のエネルギ処理状況に関するデータを容易に比較することが可能となる。
【０１２０】
以上説明したように、本実施の形態の第１の変形例に従うエネルギ表示装置によれば、期間長選択スイッチＳＷ２において選択可能な複数の期間長を、データ項目選択スイッチＳＷ１により選択されたデータ項目に応じて変化させることができる。これにより、ユーザは、表示させたい「エネルギ処理状況に関するデータ」の内容に応じて、当該データを考察するのに好適な期間長を選択することが可能となる。したがって、データ表示におけるユーザの利便性を高めることができる。
【０１２１】
なお、図７の例では、タブ１３，１４，１５，１８の選択により、表示対象データＤ１の期間長が「日」、「週」、「月」、「年」のいずれかに選択される構成について例示したが、期間長選択スイッチＳＷ２において選択可能な複数の期間長はユーザが任意に設定することが可能である。たとえば、ユーザの生活パターン等に応じて、表示対象データＤ１の期間長として、「季節」、「上半期／下半期」、「四半期」等をさらに選択できるようにしてもよい。
【０１２２】
［変形例２］
上述した実施の形態では、期間長選択スイッチＳＷ２が操作されると、表示対象データＤ１の期間は、その期間長におけるデフォルト値（今日／今月／今年）に自動的に選択される構成について説明した。これによれば、たとえば、「昨年（またはそれ以前の年）の同月」におけるエネルギ処理状況に関するデータが表示画面３１０に表示されている状態で、期間長選択スイッチＳＷ２においてタブ１５が選択されると、表示画面３１０は、「今年」のエネルギ処理状況に関するデータの表示に自動的に切り替わる。したがって、表示対象データＤ１の期間を「昨年（またはそれ以前の年）の同月」から「昨年（またはそれ以前の年）」に切り替えたい場合、ユーザは、期間長選択スイッチＳＷ２を操作した後に、期間選択スイッチＳＷ３をさらに操作することが要求される。
【０１２３】
以下では、本実施の形態の第２の変形例として、期間長選択スイッチＳＷ２が操作されたときのデータ表示の態様について説明する。
【０１２４】
図８〜図１０は、本実施の形態に従うエネルギ表示装置におけるデータ表示のための制御処理を説明するフローチャートである。図８〜図１０に示すフローチャートは、たとえばリモコン２００の制御部２１０により実行される。
【０１２５】
図８に示されたフローチャートは、図５に示されたフローチャートと比較して、ステップＳ１１，Ｓ１２がステップＳ１１Ａ，Ｓ１２Ａにそれぞれ置き換えられている。さらに、ステップＳ１６，Ｓ１７がステップＳ１６Ａ，１７Ａにそれぞれ置き換えられている。
【０１２６】
図８を参照して、制御部２１０は、期間長選択スイッチＳＷ２におけるタブ１４の選択に従って、表示対象データＤ１の期間長を「月」に設定すると（ステップＳ１０）、処理をステップＳ１１Ａに進めて、直前の表示対象データＤ１の期間長に基づいて、表示対象データＤ１の期間を設定する。
【０１２７】
図９は、図８のステップ１１Ａの処理をさらに説明するフローチャートである。図９を参照して、制御部２１０は、ステップＳ３０により、直前の表示対象データＤ１の期間長を確認する。直前の期間長が「日」である場合、制御部２１０は、処理をステップＳ３１に進めて、直前の表示対象データＤ１の期間である所定日を含む所定月を、表示対象データＤ１の期間に選択する。たとえば、直前の表示対象データＤ１の期間が、「先月の同一日」に設定されている場合において、タブ１４が選択されると、表示対象データＤ１の期間は「先月」となる。
【０１２８】
一方、直前の期間長が「年」である場合、制御部２１０は、ステップＳ３２により、表示対象データＤ１の期間を、デフォルト値である「今月」に設定する。
【０１２９】
制御部２１０は、ステップＳ１２Ａにより、ステップＳ０２，Ｓ１１Ａ（Ｓ３１またはＳ３２）にてそれぞれ設定したデータ項目および期間を表す表示対象データＤ１を、データ表示領域３０１に表示する。
【０１３０】
図８に戻って、制御部２１０は、期間長選択スイッチＳＷ２におけるタブ１５の選択により、表示対象データＤ１の期間長を「年」に設定すると（ステップＳ１５）、処理をステップＳ１６Ａに進めて、直前の表示対象データＤ１の期間長に基づいて、表示対象データＤ１の期間を設定する。
【０１３１】
図１０は、図８のステップＳ１６Ａの処理をさらに説明するフローチャートである。図１０を参照して、制御部２１０は、ステップＳ３３により、直前の表示対象データＤ１の期間長を確認する。直前の期間長が「日」である場合、制御部２１０は、処理をステップＳ３４に進めて、直前の表示対象データＤ１の期間である所定日を含む所定年を、表示対象データＤ１の期間に選択する。たとえば、直前の表示対象データＤ１の期間が、「昨年の同一日」に設定されている場合において、タブ１５が選択されると、表示対象データＤ１の期間は「昨年」となる。
【０１３２】
また、直前の期間長が「月」である場合、制御部２１０は、処理をステップＳ３５に進めて、直前の表示対象データＤ１の期間である所定月を含む所定年を、表示対象データＤ１の期間に選択する。たとえば、直前の表示対象データＤ１の期間が、「昨年の同一月」に設定されている場合において、タブ１５が選択されると、表示対象データＤ１の期間は「昨年」となる。
【０１３３】
制御部２１０は、ステップＳ１７Ａにより、ステップＳ０２，Ｓ１６Ａ（Ｓ３４またはＳ３５）にてそれぞれ設定したデータ項目および期間を表す表示対象データＤ１を、データ表示領域３０１に表示する。
【０１３４】
図９および図１０を通じて、直前の表示対象データＤ１の期間長よりも長い期間長が選択されると、制御部２１０は、直前の表示対象データＤ１の期間を包含するように伸長された期間長を有する期間を自動的に選択するように構成される。これにより、表示対象データを、より長い期間長を有する別の期間の表示対象データに切替える場面において、ユーザの操作を簡易化することができる。
【０１３５】
次に、直前の表示対象データＤ１の期間長よりも長い期間長が選択されて、直前の期間を包含する期間が自動的に選択されたときのデータ表示の態様を、図１１を用いて説明する。
【０１３６】
図１１は、本実施の形態の第２の変形例に従うエネルギ表示装置におけるデータ表示の画面例を示す図である。
【０１３７】
図１１（ａ），（ｂ）に示される表示画面３１０は、表示部３００に表示される。図１１（ａ）では、ユーザが、データ項目選択スイッチＳＷ１においてアイコンＩＣ１をアクティブ化し、期間長選択スイッチＳＷ２においてタブ１４を選択し、かつ、期間選択スイッチＳＷ３を操作することによって、「昨年同月（たとえば、２０１４年８月）における使用電力量」が、表示対象データＤ１に選択されている。この結果、データ表示領域３０１には、昨年同月の使用電力量（たとえば、１２４．４５ｋＷｈ）を日間にさらに細分化したグラフＧ８によって、表示対象データＤ１が表示される。また、操作部表示領域３０４には、表示対象データＤ１の期間を示す文字情報Ｔ２に相当する、昨年同月（２０１４年８月）の日付が表示されている。
【０１３８】
次に、図１１（ｂ）の例では、ユーザが期間長選択スイッチＳＷ２においてタブ１５を選択することによって、表示対象データＤ１の期間長が「年」に選択されている。この場合において、表示対象データＤ１の期間は、昨年同月（２０１４年８月）を含む年である「昨年（２０１４年）」に設定される。この結果、図１１（ｂ）では、表示対象データＤ１に相当する、「昨年（２０１４年）の使用電力量」が、データ表示領域３０１に表示される。たとえば、昨年における使用電力量（たとえば、１２３，４５６ｋＷｈ）を月間にさらに細分化したグラフＧ９によって、表示対象データＤ１が表示される。
【０１３９】
ここで、図１１（ｂ）の例では、データ表示領域３０１に表示されたグラフＧ９において、棒グラフを構成する複数本（１２本）の棒の各々は、各月における使用電力量を示している。図１１（ｂ）の状態で、制御部２１０は、グラフＧ９上の１２本の棒のうち、直前の表示対象データＤ１の期間（２０１４年８月）における使用電力量を示す棒と、残りの１１本の棒とで表示態様を異ならせる。図１１（ｂ）の例では、８月における使用電力量を示す棒の表示色を、その他の棒の表示色とは異ならせている。これにより、グラフＧ９内において、８月の使用電力量を示す棒が強調表示されるため、いずれの棒が直前の表示対象データＤ１を示しているかをユーザに認識させることができる。なお、強調表示には、表示色の変更の他に、表示輝度の変更や点灯表示などが適用可能である。
【０１４０】
以上説明したように、本実施の形態の第２の変形例に従うエネルギ表示装置によれば、表示対象データを、より長い期間長を有する別の期間の表示対象データに切替える場面において、ユーザの操作を簡易化することができる。この結果、データ表示の切替えにおけるユーザの操作性を向上させることができる。
【０１４１】
さらに、本実施の形態の第２の変形例に従うエネルギ表示装置によれば、表示対象データを、より長い期間長を有する別の期間の表示対象データに切替えたときには、直前の期間を表わすデータの表示態様を、当該期間以外の期間を表わすデータの表示態様とは異ならせることにより、直前の表示対象データをユーザに認識させることができる。これにより、データ表示の切替えにおけるユーザの利便性を高めることができる。
【０１４２】
なお、本実施の形態およびその変形例が適用される、エネルギシステム１００およびリモコン２００の構成（図１）は例示に過ぎず、本発明は適用されるシステムの構成に特に限定することなく、「エネルギ処理状況に関するデータ」の表示に共通に適用することができる。
【０１４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４４】
１１，１２，１６，１７  操作ボタン、１３〜１５，１８  タブ、２０  発電ユニット、２１  加熱装置、２２  貯湯タンク、２３  補助熱源機、２４  コントローラ、２５  電気負荷、２６  ソーラ電池パネル、２７  パワーコンディショナ、２８  分電盤、２９ａ  電力量計、２９ｂ  ガス流量計、２９ｃ  水量計、２９ｄ  電力計、１００  エネルギシステム、２００  リモートコントロール装置（リモコン）、２１０  制御部、２１３  スピーカ、２１４  マイク、２２０  通信部、２３０  操作部、３００  表示部、３０１  データ表示領域、３０２  操作部表示領域（第１の表示領域）、３０３  操作部表示領域（第２の表示領域）、３０４  操作部表示領域（第３の表示領域）、３１０  表示画面、ＩＣ１〜ＩＣ６  アイコン、Ｄ１  表示対象データ、Ｇ１〜Ｇ９  グラフ、Ｔ１  タイトル表示、Ｔ２  文字情報、ＳＷ１  データ項目選択スイッチ、ＳＷ２  期間長選択スイッチ、ＳＷ３  期間選択スイッチ。
【図１】
0006657931.tif 000002
【図２】
0006657931.tif 000003
【図３】
0006657931.tif 000004
【図４】
0006657931.tif 000005
【図５】
0006657931.tif 000006
【図６】
0006657931.tif 000007
【図７】
0006657931.tif 000008
【図８】
0006657931.tif 000009
【図９】
0006657931.tif 000010
【図１０】
0006657931.tif 000011
【図１１】
0006657931.tif 000012